(57)【特許請求の範囲】
【請求項１】
伝送のための、および伝送される光の角度適合のための光学ユニット（５０）用光伝送素子（１００）において、
光伝送素子は、層（１１０）のタイプに配置されて、一連（２０）の複数の光素子（１０）を有し、
前記光伝送素子において、前記層（１１０）は、相互に反対側に向けられた第１側面（１０１）および第２側面（１０２）を形成し、
それぞれの光素子（１０）は、それぞれ幾何学的にほぼ同一底面（１１ｂ、１２ｂ）から先細りに伸長する一対の部分素子（１１、１２）を有し、部分素子は、それらの底面（１１ｂ、１２ｂ）により相互に向かい合わされ、およびそれらの先細り部分に沿って異なる長さを有して伸長し、
前記光素子（１０）は、より長い長さを有する部分素子（１１、１２）は前記第１側面（１０１）に、およびより短い長さを有する部分素子（１２、１１）は前記第２側面（１０２）に向けられているように配向されており、
前記光素子（１０）および前記部分素子（１１、１２）は、その面が、反射層またはコーティングを介して反射するように形成された被覆（１１ａ、１２ａ）を有する
光学ユニット（５０）用光伝送素子（１００）。
【請求項２】
前記一連（２０）の光素子（１０）を有する層（１１０）は、前記光素子（１０）の単層のタイプに形成され、
前記層（１１０）は、面またはレベル内に、平面に形成されている、
請求項１に記載の光伝送素子（１００）。
【請求項３】
前記光素子（１０）および前記部分素子（１１、１２）は、それ自身、幾何学的におよび／または材料的に相互に一致して形成され、
前記光素子（１０）は、二重円錐および／または二重角錐のタイプに形成され、
前記部分素子（１１、１２）はそれぞれ、垂直の円錐または円錐台として、および／または、垂直の角錐または角錐台として形成され、
前記光素子（１０）は一体にまたは材料一体に形成されている、
請求項１または２に記載の光伝送素子（１００）。
【請求項４】
前記光素子（１０）および前記部分素子（１１、１２）は、少なくとも局部的にまたは全体的に相互に同一に、局部的にまたは全体的に前記第１側面（１０１）および／または前記第２側面（１０２）に垂直に、それらの本体軸に対して相互に平行に向けられて配向されている、請求項１〜３のいずれか一項に記載の光伝送素子（１００）。
【請求項５】
前記層（１１０）内の前記光素子（１０）は、垂直な格子のタイプに配置され、
前記層（１１０）内の前記光素子（１０）は、垂直な格子並びにそれに対して二重の格子のタイプに、稠密充填のタイプに配置され、
前記光素子（１０）は二次元に配置されている、
請求項１〜４のいずれか一項に記載の光伝送素子（１００）。
【請求項６】
入光領域が、前記光伝送素子（１００）の前記第１側面（１０１）から形成され、
出光領域が、前記光伝送素子（１００）の前記第２側面（１０２）から形成された、
請求項１〜５のいずれか一項に記載の光伝送素子（１００）を有する、受光ユニット（６１）。
【請求項７】
入光領域が、前記光伝送素子（１００）の前記第２側面（１０２）から形成され、
出光領域が、前記光伝送素子（１００）の前記第１側面（１０１）から形成された、請求項１ないし５のいずれかに記載の光伝送素子（１００）を有する、
光アクチュエータユニット（６２）。
【請求項８】
送光ユニットおよび／または受光ユニットが、請求項７に記載の光アクチュエータユニットのタイプの、または請求項６に記載の受光ユニットのタイプの前記光伝送素子（１００）を有する、視界内に光を送り出すための送光ユニットおよび視界から光を受け取るための受光ユニットを含むＬＩＤＡＲシステム。
【請求項９】
請求項８に記載のＬＩＤＡＲシステムを有して形成された、１つないしは複数の作業装置および／または車両。
【発明の詳細な説明】
【技術分野】
【０００１】
本発明は、光学ユニット用光伝送素子、受光ユニットまたは光アクチュエータユニット、ＬＩＤＡＲシステム並びに作業装置および特に車両に関する。
【背景技術】
【０００２】
多くの技術的適用の場合、受光ユニットにおいてまたはエミッタにおいてもまた、受け取られまたは放出されるスペクトルを制限するために、光路内に直列に波長フィルタが挿入される。この場合、このような波長フィルタは、しばしば、スペクトル内のウインドウの位置および幅に関して、放射線の実際の入射角に依存した伝送ウインドウを有することが既知である。逆考察において、これは、好ましくない状況の下で、すなわち、入射スロットに関して大きな入射角の場合、フィルタ特性が目標値から離れることがあることを意味する。他の光学的適用においてもまた、入射スロットに関して大きな入射角は、光学全体装置を希望しない特性に導く。他方で、大きな入射角は、発光効率の高い尺度に関して好ましい。両方の状況を調和させることは、大きな技術的挑戦を示し、およびこの挑戦に対応するためには、従来、それは比較的複雑な光学システムを必要とした。
【発明の概要】
【０００３】
請求項１の特徴を有する、本発明による光伝送素子は、光路内に、簡単な手段を有する光学装置が、および特に損失なしに、伝送光または電磁放射線の角度適合が、一般的に達成可能であるという利点を有する。これは、本発明により、請求項１の特徴を用いて、詳細には、光学ユニットに対して、または光学ユニットに、および特に受光ユニットに対して、または伝送のための光放出ユニットあるいは光アクチュエータユニットに対して、およびこの場合、伝送される電磁放射線および特に光および／または赤外放射線の角度適合に対して、光伝送素子が提供されることにより達成される。光伝送素子は、層のタイプに形成されかつ配置され、および一連の複数の光素子を有する。層は、第１側面または上部側面および第２側面または下部側面を有し、すなわち、相互に反対側に向けられかつ特に第１半空間ないしは第２半空間に向けられたこれらを形成する。それぞれの光素子は、それぞれ幾何学的にほぼ同一のまたは一致する底面からそれらの先細り部分に沿って伸長する部分素子を有し、部分素子は、それらの底面により相互に向かい合わされかつ特に相互に隣接し、およびそれらの先細り部分に沿って異なる長さを有して伸長する。この場合、光素子は、より長い長さを有する部分素子は第１側面または上部側面に、およびより短い長さを有する部分素子は第２側面または下部側面に向けられているように配向されている。本発明により設けられた手段により、入射スロットに関して特定の角度を超えた全ての入射光線に対して、隣接光素子における多重反射により、入射光線に関して、伝送光線の角度適合が達成される。
【０００４】
これは、第１側面から特にフラットに入射する光線に対して、伝送は、基礎となる光学面に、より垂直に達成されることを意味する。このケースは、受光装置等に対して重要である。逆に、これは、第２側面から入射する光線は、場合により、入射角に関して、基礎となる光学面の垂線に対してより大きい角度で伝送可能であることを意味する。この状況は、放射線の光線扇状分配またはより強い分配が望まれるエミッタ装置に対して重要である。
【０００５】
本発明の態様は、言い換えると、円錐状または先細り状に伸長し、それらの円錐状または先細り状領域が相互に離れてかつ相互に平行に配向されている、格子状に配置された複数の光素子を有する、蛾の眼の構造が形成されることにおいて見られる。
【０００６】
引用形式請求項は、本発明の好ましい変更態様を示す。
一連の光素子を有する層の構成形態に対して、適用に応じてそれぞれ、有利に選択可能な種々の可能性が提供される。
【０００７】
本発明による光伝送素子の好ましい実施形態において、一連の光素子を有する層は、一連の光素子の単層または単床のタイプに形成されている。これは、具体的に、光素子は、複数床をなして相互に重なって位置しないことを意味する。
【０００８】
しかしながら、代替態様として、複数層もまた考えられる。
光伝送素子の形状および特に光素子の層の形状は、幾何学的に、それぞれの適用の要求に適合されてもよい。
【０００９】
しかしながら、層が面またはレベル内に、特に平面に形成されているとき、特に簡単な関係が発生する。
光素子それ自身および特にそれぞれの部分素子は、種々の幾何学的形状を有してもよく、種々の方法で相互に組み合わされてもよい。
【００１０】
すなわち、光素子および特に部分素子は、それぞれ幾何学的におよび／または材料的に相互に一致して形成されていてもよい。
本発明による光伝送素子の他の追加または代替実施形態において、光素子は二重円錐および／または二重角錐のタイプに形成されていてもよい。
【００１１】
部分素子がそれぞれ、特に垂直の円錐または円錐台として、および／または特に垂直の角錐または角錐台として形成されているとき、これが特に達成可能である。
材料に関してもまた、種々の実施形態が提供される。
【００１２】
光素子が一体にまたは材料一体に形成されているとき、特に簡単な関係が発生する。
多くの材料は本質的に高い反射能力を有するが、個々の光素子の光特性は、対応材料構成によりさらに改善可能である。材料として、例えば、ＰＣ、ＰＭＭＡ、Ｚｅｏｎｅｘまたは伝送性プラスチック材料が一般に提供される。
【００１３】
すなわち、本発明による光伝送素子の他の有利な変更態様において、光素子および特に部分素子は、その面が、特に反射層またはコーティングを介して反射するように形成された被覆を有するように設計されている。
【００１４】
本発明による光伝送素子の光学的に特に有利な光特性は、光素子および特に部分素子が、少なくとも局部的にまたは全体的に相互に同一に、特に局部的にまたは全体的に第１側面および／または第２側面に垂直に、および／または特にそれらの本体軸に対して相互に平行に向けられて配向されているときに発生する。
【００１５】
その代わりにまたはそれに追加して、層の内部の複数の光素子の上位の装置が、それに対応して、光伝送素子の光特性を有利に構成するように形成されていてもよい。
すなわち、層内の光素子は、特に垂直な格子のタイプに配置されているかまたは配置されることが考えられる。
【００１６】
その代わりに、層内の光素子が、特に垂直な格子のタイプに、さらにそれに対して二重の格子のタイプに、例えば稠密充填のタイプに配置されているかまたは配置されるような配置が考えられる。
【００１７】
上記のように、この場合、大量の配置、例えば多層配置もまた考えられる。
しかしながら、光素子が二次元に配置されているとき、特に簡単な構造が得られる。単床または単層としての配置は、上記のとおりである。
【００１８】
本発明は、さらに、本発明による光伝送ユニットを有する、１つないしは複数の受光ユニット、特にフィルタおよび／またはセンサに関する。
この場合、受光ユニットの入光領域は、基礎となる光伝送素子の第１側面から形成されていてもまたは形成されてもよい。
【００１９】
それに追加してまたはその代わりに、受光ユニットの出光領域は、光伝送素子の第２側面から形成されているかまたは形成されてもよい。
さらに、本発明の対象は、本発明による光伝送素子を有する、１つないしは複数の光アクチュエータユニットおよび特に電磁放射線用エミッタでもある。
【００２０】
ここで、入光領域は、基礎となる光伝送素子の第２側面から形成されているかまたは形成されてもよいことは有利である。それに追加してまたはその代わりに、出光領域は、基礎となる光伝送素子の第１側面から形成されているかまたは形成されてもよい。
【００２１】
さらに、本発明の他の態様により、視界内に光を送り出すための送光ユニットおよび視界から光を受け取るための受光ユニットを有して形成されているＬＩＤＡＲシステムもまた提供され、この場合、送光ユニットおよび／または受光ユニットは、特に光アクチュエータのタイプの、ないしは受光ユニットのタイプの、本発明による１つないしは複数の光伝送素子を有する。
【００２２】
最後に、本発明の対象は、本発明によるＬＩＤＡＲシステムを有して形成されている作業装置でもある。
作業装置は特に車両であってもよい。
【００２３】
添付図面を参照して、本発明の実施形態が詳細に説明される。
【図面の簡単な説明】
【００２４】
【図１】図１は、本発明による光伝送素子の第１実施形態の略側面図である。
【図２】図２は、光学装置と関連した、図１からの本発明による光伝送素子の実施形態の略側面図である。
【図３】図３は、それぞれの適用における、本発明による光伝送素子の他の実施形態の略側面図を示す。
【図４】図４は、それぞれの適用における、本発明による光伝送素子の他の実施形態の略側面図を示す。
【図５】図５は、それぞれの適用における、本発明による光伝送素子の他の実施形態の略側面図を示す。
【発明を実施するための形態】
【００２５】
以下に、図１ないし５を参照して、本発明の実施例および技術的背景が詳細に説明される。同一および類似の、並びに同一または類似に作用する素子および部品は同一の符号で示される。図示の素子および部品の詳細説明は、それらが現われるたびごとに反復されない。
【００２６】
示された特徴およびその他の特性は、本発明の本質から逸脱することなく、任意の形で相互に分離されおよび任意に相互に組み合わせられてもよい。
図１は、本発明による光伝送素子１００の第１実施形態の略側面図である。
【００２７】
図１に示したような本発明により構成された光伝送素子１００は複数の光素子１０の配置２０からなり、光素子は、二重角錐または二重円錐のタイプに形成され、したがって、底面１１ｂおよび被覆１１ａを有する第１部分素子１１および底面１２ｂおよび被覆１２ａを有する第２部分素子１２からなり、これらは、一致する底面１１ｂおよび１２ｂを有し、かつそれらの底面１１ｂ、１２ｂは相互に向かい合わされかつ特に相互に結合されている。
【００２８】
光素子１０は、１つの面内に位置し、ほぼ１つの層１１０を形成し、および全体空間を第１または上部半空間あるいは第１または上部側１と第２または下部半空間あるいは第２または下部側２に分割する。この場合、層１１０の第１または上部側面１０１は第１半空間または第１側１に向けられ、他方で、第２または下部側面１０２は空間の第２半空間または第２側２に向けられている。
【００２９】
第１部分素子１１の底面１１ｂは幅または直径１１−１を有する。第２部分素子１２の底面１２ｂは幅または直径１２−１を有する。
第１部分素子１１および第２部分素子１２はそれぞれの底面１１ｂ、１２ｂから出発して先細りしかつ先が尖っている。その先細り部分の方向に第１部分素子１１は長さ１１−２を有する。その先細り部分の方向に第２部分素子１２は長さ１２−２を有する。先細り部分は、それぞれの底面１１ｂ、１２ｂの幅１１−１、１２−１または直径の、先細り部分の方向の長さ１１−２、１２−２に対する比により表わされてもよい。その代わりに、それぞれの底面１１ｂ、１２ｂとは反対側の尖端における、詳細には、第１または上部側面１０１および／または第２または下部側面１０２に対する垂線１０３に関する開口角１１−３ないしは１２−３が与えられてもよい。
【００３０】
図１に示された光伝送素子１００の実施形態において、光素子１０は支持体３０内に埋め込まれている。この埋込３０により、光素子は、それらの位置および向きにおいて相互に機械的に安定化される。支持体３０内への埋込は、全体として必ずしも強制されない。支持体材料３０内への埋込は、一部分のみで、すなわち空間を充填するのではなく、例えば光素子１０の間の最も薄い材料層としてまたは細い糸として行われてもよい。例えば、第２光部分素子１２の下部領域内の固定が例えばその尖端において可能であるとき、支持体３０内への埋込は完全に行われなくてもよい。
【００３１】
図１による実施形態において、それぞれの光素子１０の第１および第２部分素子１１および１２は、光伝送素子１００の層１１０の第１および第２側面１０１および１０２への局部垂線１０３と一致する、相互に心出しされた図の軸線を有する。しかしながら、この配置は必ずしも強制されない。適用に応じてそれぞれ、局部的観点においてもまた、相互に、および垂線１０３に関して、図の軸線の他の配向が選択されてもよい。
【００３２】
図２は、光学装置６０の部分としての本発明によるユニット５０に関連した、図１からの本発明による光伝送素子１００の実施形態の略側面図である。
図２による実施形態において、図１からの光伝送素子１００の配置は、光学的に光学ユニット５０に前置接続されて装着されている。光学ユニット５０は、層１１０の下部側面１０２に続くフィルタ層５１からなっている。これに、センサ層５２が接続されてもよい。このような配置において、第１半空間１から入射した光は光伝送素子１００を通過して伝送され、この場合、以下に詳細に説明されるように、局部垂線１０３に対するそれぞれの光線の入射角が低減されるように適合される。入射角の適合により、光学的に後置接続されたフィルタ層５１および／またはセンサ層５２の受入領域がより良好に利用可能である。逆考察において、フィルタ層５１の伝送ウインドウないしはセンサ層５２の検出ウインドウのより少ないまたは全く消滅した変位が得られる。
【００３３】
さらに、フィルタ層５１およびセンサ層５２は、場合により光伝送素子１００の個々の光素子１０に対する代替または追加支持体４０として機能する。
光アクチュエータユニットを形成するために、センサ層５２がエミッタ層５４により置き換えられてもよく、この場合、エミッタ層５４は、光伝送素子１００を通過した後にその放射角度範囲が拡大された光を送出する。
【００３４】
図３ないし５は、光学ユニット５０および対応光学装置６０のそれぞれの適用における、本発明による光伝送素子１００の他の実施形態の略側面図を示す。
図３に示されている本発明による光伝送素子１００の実施形態は、同様に、受光ユニット６１として、すなわちセンサ層５２の使用において、または光アクチュエータユニット６２として、すなわち光学ユニット５０の構成におけるエミッタ層５４の使用において形成されていてもよい光学装置６０に関連した適用を表わす。
【００３５】
詳細には、光素子１０および層１１０に対する垂線１０３の配向に関する、実際の入射角に依存した外部入射光７０の個々の外部からの入射光線７１、７２および７３、すなわち光素子１０の配置２０とは異なる外部からの入射光線７１、７２および７３が示されている。
【００３６】
比較的フラットに入射した第１光線７１は、直接隣接する光素子１０と、多重反射の形で相互作用し、この場合、第１光線は、その結果、垂線１０３に関して、光学ユニット５０および特にフィルタ層５１へのより小さい入射角を有する伝送光線として現われる。
【００３７】
第２外部入射光線７２は、垂線１０３に関して、光素子１０の上部部分素子１１の開口角に対応する入射角で入射する。ここに示された場合において、光線７２は、いずれの光素子１０とも衝当せず、かつ相互作用することなく、直接光学ユニット５０のフィルタ層５１に到達する。
【００３８】
外部からの入射光線７３は、垂線１０３に平行にかつ直接隣接する２つの光素子１０の間を直接通過し、したがって、相互作用することなくフィルタ層５１上に現われる。
エミッタ層５４を有する光学ユニット５０の操作において、すなわち光学装置６０の、光アクチュエータユニット６２としての、例えばエミッタとしての構成の場合、内部放射から発生した光線８１が模倣され、はじめに光素子１０の第２部分素子１２に衝当し、次に、直接隣接する２つの光素子１０の間で多重反射をした後、外部伝送光線８１´として第１半空間１内に逆に到達する。
【００３９】
図４による配置は、二重円錐形状とは異なる光素子１０の構成を示す。外部光源９１、９２、９３から発生した外部からの入射光線７１、７２および７３は、最終的に伝送光線７１´、７２´ないしは７３´として光学ユニット５０に衝当するように、垂線１０３に関する入射角に応じてそれぞれ、光素子１０の第１および第２部分素子１１、１２との相互作用の異なる形状を形成する。
【００４０】
図５による実施形態において、光素子１０の第２部分素子１２は、凹状に形成された被覆１２ａを有する。このようにして、外部入射光線７１および７２から伝送光線７１´、７２´への、または内部放射後の入射光線８１、８２から外部放射光線８１´、８２´への改善された角度適合が達成可能である。
【００４１】
図２は、光学装置６０の部分としての本発明によるユニット５０に関連した、図１からの本発明による光伝送素子１００の実施形態の略側面図である。
本発明のこのおよび他の特徴および特性が、以下の記載によりさらに説明される。
【００４２】
本発明は、特に、拡大された角度受取領域における入射光線の衝当角を最小化するための光学構造にも関する。
例えば、ブラックシリコン検出器における、または反射防止コーティングにおける、表面の光吸収を向上させるための蛾の眼の構造はそれ自身既知であり、かつ特により大きな角度における伝送ウインドウの拡大および移動により、より大きな受取角に対しては比較的コスト的に不利な光波長フィルタとして、および小さい受取角に対してはコスト的に有利な光波長フィルタとして使用される。
【００４３】
本発明の目標設定は、大きな角度受取領域において、簡単な手段による入射光線の衝当角の最小化を提供することである。
本発明の利点として、
大きな入射角においても、構造により低減された入射角を介して、できるだけ小さい、伝送ウインドウの好ましくない拡大および移動により、コスト的に有利な光波長フィルタの使用が得られ、
機能原理が適用される好ましい場合の確率に関して、きわめて稀な、好ましくない場合による、構造への好ましくない入射角および入射位置においても、きわめて僅かな動力損失が得られ、
より大きなマクロ構造としての、または微小化ミクロ構造としての実現可能性が得られ、この場合、さらなる微小化は、得られた配置の尺度により、約３倍以上の波長の回折効果によってのみ制限され、および
画像形成角度比の保持により、センサ上における部分画像の合成の可能性が得られる。
【００４４】
吸収構造として自然界の蛾の眼が目標とされかつ多くの技術的適用に対して種々の形状および大きさで使用された、従来技術からの素子構造は、追加の下部素子半部分だけ拡張され、これにより、各素子に対する光学的活性層の表面に特に垂直に、二重円錐または二重角錐の構造が、しかもそれぞれ光学的活性層の表面に対して垂直な円錐軸または角錐軸を有して得られる。
【００４５】
上部のみならず下部の素子半部分１１、１２は、全体構造に対して、反射面として、または反射面を用いて構成されてもよい。理想的な場合、二次元表面を、好ましくは反射しながら覆う多くの個別素子１０からなる三次元構造が得られる。
【００４６】
上部の傾斜した素子半部分１１は、この場合、さらに、最大光強度を受け取るように働き、この場合、多重反射により、入射光線の角度は垂線に対する大きな角度からさらに大きくなる。
【００４７】
第２または下部素子半部分１２は、垂線１０３に対して上部素子半部分１１より強くかつ逆に回転された傾斜により、反射チェーンの終端において角度を低減するように働く。
光フィルタ５１およびセンサ５２は、画像形成法に対して、下部素子半部分１２の端部に直接装着され、これにより、大きな角度範囲から入射した光線は、転向されないでフィルタ５１に衝当した光線から、重なり合うことなく分離される。
【００４８】
センサ部分画像の分離処理は、例えばＬＩＤＡＲシステムにおけるような光学センサ装置の使用のために、全体画像のディジタル合成を可能にする。
以下に記載の最適化パラメータは、最大角度範囲を介して、外部光源への逆反射が発生せず、検出器側への内部への転向が行われるように設計されることが好ましい。
【００４９】
それぞれの適用に依存して、以下のパラメータ、すなわち、
直接隣接する構造素子１０の水平方向間隔１３、１４
垂直方向長さ１１−２、１２−２、および上部素子半部分１１の下部素子半部分１２に対する長さ比
上部素子半部分１１の傾斜角１１−３
下部素子半部分１２の傾斜角１２−３
下部素子半部分１２の構成が最適化可能である。
【００５０】
個別素子１０は、フィルタ５１および／またはセンサ５２上に装着されかつこれにより固定されても、またはその代わりに、素子を水平に結合しかつきわめて高い伝送性を有する他の平面３０により、例えば透明な埋込材料３０により共に保持されてもよい。
【００５１】
図３は、光伝送素子１００として理解される、本発明による光学的効果層１１０の一実施形態の例において、異なる入射角を有する、上部半空間１からの３つの入射光線７１、７２、７３により、二次元の機能原理を略図で説明する。
【００５２】
図４は、本発明による光伝送素子１００として理解される、本発明による光学的効果層１１０の他の実施形態の例において、異なる入射角を有する、上部半空間１からの３つの入射光線７１、７２、７３により、三次元の機能原理を略図で説明する。
【００５３】
図５は、第２または下部部分素子１２における厳密に平坦な空間境界面または被覆面１２ａとは異なり、その代わりに、連続的に変化する境界面角を有する凹状の境界面または被覆面１２ａが使用される、本発明による光伝送素子１００として理解される、本発明による光学的効果層１１０の他の実施形態を略図で説明する。
【００５４】
光素子１０の大きさは、肉眼で見えるミリメートルまたはセンチメートルの範囲内であっても、詳細には、例えばライダ・カバーウインドウの手前の周囲付属品における、ナノメートルまたはマイクロメートルの範囲内の顕微鏡的構造を有してもよい。検出器付近内の本来のフィルタの手前の小さなオーバレイが考えられる。可能な製造法として、例えば射出成形、ＭＥＭＳおよびナノ製造が対象となる。
【符号の説明】
【００５５】
１  第１側、上部側、第１半空間
２  第２側、下部側、第２半空間
１０  光素子、構造素子、個別素子
１１  第１部分素子、上部部分素子、上部素子半部分
１１ａ  被覆
１１ｂ  底面
１１−１  幅、直径
１１−２  長さ
１１−３  開口角、傾斜角
１２  第２部分素子、下部部分素子、下部素子半部分
１２ａ  被覆、被覆面
１２ｂ  底面
１２−１  幅、直径
１２−２  長さ
１２−３  開口角、傾斜角
１３、１４  間隔
２０  一連、配置
３０  支持体、埋込、支持体材料、埋込材料、平面
４０  支持体
５０  光学ユニット
５１  フィルタ層、光フィルタ
５２  センサ層、センサ
５４  エミッタ層
６０  光学装置
６１  受光ユニット
６２  光アクチュエータユニット
７０  外部入射光
７１、７２、７３  外部入射光線
７１´、７２´、７３´  伝送光線
８１、８２  内部放射後の入射光線
８１´、８２´  外部伝送光線、外部放射光線
９１、９２、９３  外部光源
１００  光伝送素子
１０１  第１側面、上部側面
１０２  第２側面、下部側面
１０３  垂線
１１０  層、光学的効果層
【図１】
0006814307.tif 000002
【図２】
0006814307.tif 000003
【図３】
0006814307.tif 000004
【図４】
0006814307.tif 000005
【図５】
0006814307.tif 000006